(57)【要約】【課題】支持プレートの高さレベルを大まかに調整した後、床上から微調整することができるようにした床板支持具を提供する。【解決手段】この床板支持具は、設置面Ｃに着座して上下方向に配設され、上部に第１雌ネジを有する束本体１０と、束本体１０の第１雌ネジ１０ａに螺合する第１雄ネジ２１を有する軸状部材２０と、軸状部材２０に螺合して、軸状部材２０が周方向に回らないように束本体１０に衝合可能とされた第１ロックナット３１と、軸状部材２０を間隔を空けて貫通させる第２雌ネジ５２を有する支持プレート５０と、支持プレート５０の上面側で軸状部材２０の第１雄ネジ２１の上部に螺合する第２ロックナット３２と備えている。【選択図】図２
2015121053.tif 000002
【特許請求の範囲】
【請求項１】
設置面に上下方向に配設される束本体であって、設置面に着座するベースプレートと、下端がベースプレートに回動自在に支持され、上部に第１雌ネジを有する筒状部材とを組み合わせた束本体と、
該束本体の第１雌ネジに螺合する第１雄ネジを有する軸状部材と、
該軸状部材の第１雄ネジに螺合し、前記束本体の上端に衝合することによって軸状部材が周方向に回らないようにする第１ロックナットと、
前記軸状部材の第１雄ネジに螺合する第２雌ネジを有する支持プレートと、
該支持プレートの上面側で前記軸状部材の第１雄ネジの上部に螺合する第２ロックナットとを備えていることを特徴とする床板支持具。
【請求項２】
設置面に上下方向に配設される束本体であって、設置面に着座するベースプレートと、下端がベースプレートに支持され、上部に第１雌ネジを有する筒状部材とを組み合わせた束本体と、
該束本体の第１雌ネジに螺合する第１雄ネジを有する軸状部材と、
該軸状部材の第１雄ネジに螺合し、前記束本体の上端に衝合することによって軸状部材が周方向に回らないようにする第１ロックナットと、
前記軸状部材を間隔を空けて貫通させる第２雌ネジを有する支持プレートと、
筒状の中空ボルトであって、内周に前記軸状部材の第１雄ネジに螺合する第３雌ネジを有し、外周に前記支持プレートの第２雌ネジに螺合する第３雄ネジを有する中空ボルトと、
前記支持プレートの上側で、前記中空ボルトの第３雄ネジに螺合する第２ロックナットと備えていることを特徴とする床板支持具。
【請求項３】
前記軸状部材の第１雄ネジ及び中空ボルトの第３雌ネジの向きと前記中空ボルトの第３雄ネジ及び支持プレートの第２雌ネジの向きとが逆に形成されていることを特徴とする請求項２に記載の床板支持具。
【請求項４】
前記中空ボルトの上端部に、中空ボルトを周方向に回しやすくするための操作部が設けられていることを特徴とする請求項２又は３に記載の床板支持具。
【請求項５】
前記軸状部材の上端部に螺合し、前記中空ボルトの上端部に衝合する第３ロックナットを備えていることを特徴とする請求項２ないし４のいずれか一項に記載の床板支持具。
【請求項６】
前記軸状部材の上端に、軸状部材を周方向に回しやすくするための操作部が設けられていることを特徴とする請求項１ないし５のいずれか一項に記載の床板支持具。
【発明の詳細な説明】
【技術分野】
【０００１】
本発明は、建屋の床板を支持するための床板支持具に関し、詳しくは、床板の上から高さレベルを調整することができる床板支持具に関する。
【背景技術】
【０００２】
建屋の一階部分の床板は、従来、横架（大引き）によって支えられていた。横架の中間部は、コンクリート基礎のような設置面に立設された床板支持具（束）に支えられていた。しかし、最近では、建築構造の簡素化や低コスト化の要請から、大引を用いることなく床板を直接支持するようにした床板支持具も提供されている（例えば、特許文献１参照）。
【０００３】
この床板支持具は、図５に示すように、建屋の基礎（設置面）Ｃに立設されるベースプレート付きパイプ状の束本体１１０と、この束本体１１０の上端部に螺合する軸状の操作体１２０と、この操作体１２０の上端部に螺合して床板１００を支持する支持プレート１３０とを備えている。
【０００４】
詳しく説明すると、束本体１１０の上端部には、雌ネジ（図示せず）が形成されている。また、操作体１２０の中間部には、レンチやスパナなどの操作工具を係止させる係止部１２１が設けられている。また、操作体１２０の係止部１２１より上側と下側には、互いに逆向きとなるネジ１２２，１２３が形成されている。操作体１２０の下側のネジ１２３が束本体１１０の雌ネジに螺合する。さらに、操作体１２０の上端には、差込レンチ用六角穴のような操作部１２４が設けられている。そして、支持プレート１３０の下面には、ナット１３１が溶接され、このナット１３１が操作体１２０の上側のネジ１２２に螺合する。
【０００５】
そして、支持プレート１３０上に床板１００を構成する下地板１０１が載せられる。下地板１０１には、操作体１２０の上端部を露出させる貫通穴１０１ａが形成されている。そして、下地板１０１の上から貫通穴１０１ａ内に操作工具を入れ、さらに、操作工具を操作体１２０の操作部１２４に挿し込み、操作工具を回すことで、操作体１２０を周方向に回す。
【０００６】
操作体１２０は、この周方向の回転が軸方向の直線運動に変換されることで上昇又は下降し、支持プレート１３０の高さレベルが調整される。この高さレベルの調整後に、下地板１０１上にパネル本体１０２が敷設される。
【０００７】
なお、床板１００の端部と床板１００の端部とが支持プレート１３０上に載せられ、各床板１００の側面同士が接合する場合において、一方の床板１００が支持プレート１３０上に載せられ、他方の床板１００が支持プレート１３０上に載せられていない段階では、床下においてスパナなどの操作工具が操作体１２０の係止部１２１を係止することで、操作体１２０を回転させることもできる。
【先行技術文献】
【特許文献】
【０００８】
【特許文献１】特許第３９２０８４０号公報
【発明の概要】
【発明が解決しようとする課題】
【０００９】
図５に示した床板支持具にあっては、操作体１２０の上側と下側に逆向きのネジ１２２，１２３が形成されている。このような操作体１２０では、一方に回されたときに、設置面Ｃが支持プレート１３０から離れると同時に、支持プレート１３０が設置面Ｃから離れる。
【００１０】
すなわち、上側と下側とで同じ向きのネジを形成した操作体１２０と比べて、上側と下側とで逆向きのネジ１２２，１２３を形成した操作体１２０は、設置面Ｃと支持プレート１３０との間隔が２倍で狭くなったり広くなったりする。したがって、この床支持具では、支持プレート１３０の高さレベルを微調整しにくいものとなっている。
【００１１】
そこで、本発明は、支持プレートの高さレベルを大まかに調整した後、床上から微調整することができるようにした床板支持具を提供することを課題とする。
【課題を解決するための手段】
【００１２】
本発明に係る床板支持具は、設置面に上下方向に配設される束本体であって、設置面に着座するベースプレートと、下端がベースプレートに回動自在に支持され、上部に第１雌ネジを有する筒状部材とを組み合わせた束本体と、該束本体の第１雌ネジに螺合する第１雄ネジを有する軸状部材と、該軸状部材の第１雄ネジに螺合し、前記束本体の上端に衝合することによって軸状部材が周方向に回らないようにする第１ロックナットと、前記軸状部材の第１雄ネジに螺合する第２雌ネジを有する支持プレートと、該支持プレートの上面側で前記軸状部材の第１雄ネジの上部に螺合する第２ロックナットとを備えていることを特徴としている。
【００１３】
この床板支持具によれば、束本体の筒状部材がベースプレートに対して周方向に回らないように保持された状態で、この筒状部材の第１雌ネジに螺合している軸状部材を周方向に回すことにより、軸状部材及び支持プレートが束本体に対して上昇又は下降し、支持プレートの高さレベルを大まかに調整する。この状態において第１ロックナットが締め込まれ、束本体の筒状部材の上端に衝合することで、軸状部材が周方向に回転しないように規制される。
【００１４】
そして、束本体の筒状部材がベースプレートに対して回るような状態にしてから、軸状部材を周方向に回すと、筒状部材が回りながら支持プレートが上昇又は下降する。筒状部材が周方向に回ることで、支持プレートが微小に上昇又は下降し、支持プレートの高さレベルを微調整することができる。そして、第２ロックナットが締め込まれ、支持プレートの上面に衝合することで、支持プレートが所定の高さレベルを維持する。
【００１５】
また、前記と異なる本発明に係る床板支持具は、設置面に上下方向に配設される束本体であって、設置面に着座するベースプレートと、下端がベースプレートに支持され、上部に第１雌ネジを有する筒状部材とを組み合わせた束本体と、該束本体の第１雌ネジに螺合する第１雄ネジを有する軸状部材と、該軸状部材の第１雄ネジに螺合し、前記束本体の上端に衝合することによって軸状部材が周方向に回らないようにする第１ロックナットと、前記軸状部材を間隔を空けて貫通させる第２雌ネジを有する支持プレートと、筒状の中空ボルトであって、内周に前記軸状部材の第１雄ネジに螺合する第３雌ネジを有し、外周に前記支持プレートの第２雌ネジに螺合する第３雄ネジを有する中空ボルトと、前記支持プレートの上側で、前記中空ボルトの第３雄ネジに螺合する第２ロックナットと備えていることを特徴としている。
【００１６】
この床板支持具によれば、束本体の筒状部材がベースプレートに対して回転しないように支持された状態で、筒状部材の第１雌ネジに螺合している軸状部材を周方向に回すことにより、軸状部材及び支持プレートが束本体に対して上昇又は下降し、支持プレートの高さレベルを大まかに調整する。この状態において第１ロックナットが締め込まれ、束本体の筒状部材の上端に衝合することで、軸状部材が周方向に回転しないように規制される。
【００１７】
そして、軸状部材の雄ネジに螺合している中空ボルトを床上から周方向に回すことにより、中空ボルト及び支持プレートが軸状部材に対して上昇又は下降し、支持プレートの高さレベルを微調整することができる。支持プレートは、中空ボルトの雄ネジに供廻りしないように一定の方向を向いて螺合していることにより、中空ボルトの回転に連動して上昇又は下降し、高さレベルが微調整される。そして、高さレベルの微調整後に、第２ロックナットを締め込み、第２ロックナットが支持プレートに接合することで、支持プレートが所定の高さレベルを維持する。
【００１８】
ここで、本発明に係る床板支持具の一態様として、前記軸状部材の第１雄ネジ及び中空ボルトの第３雌ネジの向きと前記中空ボルトの第３雄ネジ及び支持プレートの第２雌ネジの向きとが逆に形成されている構成を採用することができる。
【００１９】
この床板支持具によれば、前記軸状部材の第１雄ネジ及び中空ボルトの第３雌ネジの向きと前記中空ボルトの第３雄ネジ及び支持プレートの第２雌ネジの向きとが逆にされていることにより、支持プレートが回転しないように支持された状態で、中空ボルトが軸状部材の回転に追従しない、すなわち、供廻りしにくいようにすることができる。
【００２０】
この場合、前記中空ボルトの上端部に、中空ボルトを周方向に回しやすくするための操作部が設けられている構成を採用することができる。この床板支持具によれば、中空ボルトに設けられた操作部をスパナのような操作工具で掴むことで、中空ボルトを周方向に回しやすくすることができる。
【００２１】
この場合、前記軸状部材の上端部に螺合し、前記中空ボルトの上端部に衝合する第３ロックナットを備えている構成を採用することができる。この床板支持具によれば、第３ロックナットが中空ボルトの上端部に衝合するように締め込まれることで、中空ボルトが上昇又は下降しないように規制することができる。
【００２２】
また、本発明に係る床支持具の他態様として、前記軸状部材の上端に、軸状部材を周方向に回しやすくするための操作部が設けられている構成を採用することができる。この床板支持具によれば、軸状部材に設けられた操作部がレンチのような操作工具で係止され、操作工具を回すことで、軸状部材を周方向に回しやすくすることができる。
【発明の効果】
【００２３】
本発明によれば、支持プレートの高さレベルを大まかに調整した後、床上から微調整することができるようにした床板支持具を提供することができる。
【図面の簡単な説明】
【００２４】
【図１】図１は、本発明に係る床板支持具の第１の実施形態であって、高さレベル調整前を示す一部断面正面図である。
【図２】図２は、本発明に係る床板支持具の第１の実施形態であって、高さレベル調整後を示す一部断面正面図である。
【図３】図３は、本発明に係る床板支持具の第２の実施形態であって、高さレベル調整前を示す一部断面正面図である。
【図４】図４は、本発明に係る床板支持具の第２の実施形態であって、高さレベル調整後を示す一部断面正面図である。
【図５】図５は、従来の床板支持具を示す正面図である。
【発明を実施するための形態】
【００２５】
本発明に係る床板支持具の第１の実施形態について図１及び図２を参照しながら説明する。この床板支持具は、束本体１０と、軸状部材２０と、第１ロックナット３１と、支持プレート５０と、第２ロックナット３２とを備えている。
【００２６】
束本体１０は、設置面Ｃに着座するベースプレート１１と、上下方向に配設される筒状部材１２とを備えている。筒状部材１２は、周方向に回動可能なように、その下端部がカシメによって支持されている。また、筒状部材１２の上部には、第１雌ネジ１０ａが形成されている。
【００２７】
そして、軸状部材２０には、筒状部材１２の雌ネジ１０ａに螺合する第１雄ネジ２１が全長にわたって形成されている。したがって、軸状部材２０は、頭部のないいわゆる寸切りボルトである。また、軸状部材２０の上端には、差込レンチ用六角穴のような操作部２３が設けられている。ただし、操作部２３は、六角穴でなく、ナットを軸状部材２０に溶接したものとしてもよい。この軸状部材２０は、周方向に回されると、その回転運動が軸方向の直線運動に転換され、束本体１０の筒状部材１２に対して上昇又は下降する。
【００２８】
ただし、この軸状部材２０の下部に第１ロックナット３１が螺合し、この第１ロックナット３１が束本体１０の筒状部材１２の上端に衝合することで、軸状部材２０が回転不能となり、上昇又は下降しないように規制される。なお、第１ロックナット３１と筒状部材１２の上面との間には、スプリングワッシャ３５が介在する。
【００２９】
そして、支持プレート５０は、木片１を固定するプレート本体５１の中心に第２雌ネジ５２を形成した板状部材とされている。この雌ネジ５２が軸状部材２０に形成された第１雄ネジ２１の中間部と螺合する。
【００３０】
また、支持プレート５０の第２雌ネジ５２は、プレート本体５１の中心を下面側に曲げ成形することで、板厚よりも長く形成されている。ただし、図示しないが、支持プレート５０は、プレート本体５１の中心に貫通穴を形成し、この貫通穴に連続するようにナットを固着したものとしてもよい。
【００３１】
また、プレート本体５１の四隅には、ビス５３が貫通する小孔５４が形成されている。また、プレートの下面にはリブ５５が放射状に設けられている。なお、木片１の中心にも支持プレート５０の雌ネジ５２よりも大きな貫通穴１ａが形成されている。
【００３２】
そして、軸状部材２０に形成された第１雄ネジ２１の上部に第２ロックナット３２が螺合している。このロックナット３２がプレート本体５１の上面に衝合することで、軸状部材２０が回転不能となり、支持プレート５０が軸状部材２０に対して上昇又は下降しないように規制される。
【００３３】
ここで、この床板支持具によって支持プレート５０の高さを調整する方法について説明する。予め、木片１が支持プレート５０に固定される。木片１は、プレート本体５１に接合され、プレート本体５１の小孔５４からビス５３が捩じ込まれることで、支持プレート５０に一体化されている。
【００３４】
そして、設置面Ｃに束本体１０のベースプレート１１を接着剤などによって固定する。このとき、軸状部材２０の第１雄ネジ２１の下部は、束本体１０の筒状部材１２の第１雌ネジ１０ａに螺合し、軸状部材２０の上部は、束本体１０の筒状部材１２から長く突出している。また、第１ロックナット３１は、束本体１０の筒状部材１２の上端から離れて軸状部材２０に螺合している。
【００３５】
そして、束本体１０の筒状部材１２がベースプレート１１に対して回転しないように掴まれた上で、軸状部材２０の上部が掴まれ、周方向に回されることで、軸状部材２０が束本体１０の筒状部材１２内に進入し、軸状部材２０に螺合している支持プレート５０が下降する。
【００３６】
プレートが大まかに所定位置まで下降すると、第１ロックナット３１を締め込むことで、第１ロックナット３１を束本体１０の筒状部材１２の上端に衝合させる。そうすると、軸状部材２０を回すことができず、軸状部材２０は筒状部材１２内に進入しなくなる。ただし、この状態の筒状部材１２は、ベースプレート１１に対して周方向に回動自在とされている。
【００３７】
この状態で図２に示すように、木片１上に床板の下地板１０１を固定する。この下地板１０１にも、木片１の貫通穴に連続する貫通穴１０１ａが形成されている。この貫通穴１０１ａ内には、中空ボルト４０の操作部２３が露出している。そこで、床上すなわち下地板１０１の上から操作部２３に六角レンチなどの操作工具を入れ、軸状部材２０を回す。
【００３８】
この状態において、束本体１０の筒状部材１２がベースプレート１１に対して回動自在に支持され、軸状部材２０が昇降せず、さらに、支持プレート５０が軸状部材２０に供廻りしないことから、軸状部材２０が周方向に回されることで、支持プレート５０が微小に下降又は上昇し、その高さ位置が微調整される。そして、支持プレート５０が所定の高さに位置すると、第２ロックナット３２を締め込み、第２ロックナット３２が支持プレート５０に接合することで、支持プレート５０が上昇又は下降しないように規制される。
【００３９】
このようにして、支持プレート５０、木片１及び下地板１０１の高さレベルが微調整された後、下地板１０１上にパネル本体（図示せず）が敷設される。
【００４０】
次に、本発明に係る床板支持具の第２の実施形態について図３及び図４を参照しながら説明する。この床板支持具は、束本体１０と、軸状部材２０と、第１ロックナット３１と、中空ボルト４０と、支持プレート５０と、第２ロックナット３２とを備えている。
【００４１】
第２の実施形態の床板支持具の束本体１０は、筒状部材１２がベースプレート１１に対して回転できないように支持されている。また、第２の実施形態の床板支持具の軸状部材２０の上端には、差込レンチ用六角穴のような操作部が設けられていない。ただし、軸状部材２０の上端に操作部を設けてもよい。
【００４２】
そして、中空ボルト４０は、筒状体であり、前記軸状部材２０の第１雄ネジ２１に螺合する第３雌ネジ４１を内周に形成し、この第３雌ネジ４１と逆方向の第３雄ネジ４２を外周に形成し、上端部に操作部４３を設けた構成とされている。操作部４３は、中空ボルト４０の頭部によって設けられ、レンチなどの操作工具によって掴みやすくされている。操作部４３の外形は、レンチなどの操作工具を使用しやすいような六角形とされるが、四角形などの多角形としてもよい。
【００４３】
そして、第２ロックナット３２は、前記中空ボルト４０の雄ネジ４２に螺合する。この第２ロックナット３２は、操作工具に保持されやすいように、中空ボルト４０の操作部４３よりも大きめとされている。さらに、軸状部材２０の上端部には、第３ロックナット３３が螺合する。第３ロックナット３３は、締め込まれることで、中空ボルト４０の操作部４３に衝合する。
【００４４】
そして、支持プレート５０は、木片１を固定するプレート本体５１の中心に、第１実施形態の第２雌ネジ５２よりも大きな内径の第２雌ネジ５２を形成した板状部材とされている。この支持プレート５０の第２雌ネジ５２に中空ボルト４０の第３雄ネジ４２が螺合する。したがって、支持プレート５０と中空ボルト４０の操作部４３との間で、第２ロックナット３２が中空ボルト４０の第３雄ネジ４２に螺合する。
【００４５】
この支持プレート５０の第２雌ネジ５２がプレート本体５１の板厚より長く形成され、プレート本体５１の四隅に小孔５４が形成されるなどの構成は、第１の実施形態と同じである。
【００４６】
また、他の構成は、第１の実施形態と同じである。次に、使用方法について説明する。第２の実施形態においても、第１の実施形態と同様、予め、木片１を支持プレート５０に固定しておく。
【００４７】
そして、設置面Ｃに束本体１０のベースプレート１１を接着剤などによって固定する。このとき、軸状部材２０の第１雄ネジ２１の下部は、束本体１０の筒状部材１２の第１雌ネジ１０ａに螺合し、軸状部材２０の上部は、束本体１０の筒状部材１２の上端から長く突出している。また、第１ロックナット３１は、束本体１０の筒状部材１２の上端から離れて軸上部材２０に螺合している。
【００４８】
そして、束本体１０の筒状部材１２がベースプレート１１に対して周方向に回らないことにより、軸状部材２０が周方向に回されることで、軸状部材２０が束本体１０の筒状部材１２内に進入し、軸状部材２０、中空ボルト４０及び支持プレート５０が下降する。
【００４９】
支持プレート５０が大まかに所定位置まで下降すると、第１ロックナット３１を締め込み、第１ロックナット３１を束本体１０の筒状部材１２の上端に衝合する。そうすると、軸状部材２０を回せなくなり、軸状部材２０は筒状部材１２内に進入しない。
【００５０】
この状態で、図２に示すように、木片１上に床板の下地板１０１を固定する。この下地板１０１にも、木片１の貫通穴１ａに連続する貫通穴１０１ａが形成されている。この貫通穴１０１ａ内で、中空ボルト４０の操作部４３や第２ロックナット３２が露出する。そして、床上すなわち下地板１０１の上からこの貫通穴１０１ａにレンチなどの操作工具を入れて、この操作工具が中空ボルト４０の操作部４３を掴んで回す。すると、中空ボルト４０が軸状部材２０に螺合しながら上昇又は下降する。したがって、支持プレート５０が中空ボルト４０の回転に連動して微小に上昇又は下降し、高さレベルを微調整することができる。
【００５１】
そして、支持プレート５０が所定の高さレベルに微調整されると、第２ロックナット３２を締め込むことで、第２ロックナット３２を支持プレート５０の上面に衝合する。また、第３ロックナット３３を締め込むことで、第３ロックナット３３を中空ボルト４０の操作部４３に衝合する。このようにして、支持プレート５０が所定の高さレベルから上昇又は下降しないように規制される。そして、下地板１０１上にパネル本体（図示せず）が敷設される。
【００５２】
なお、本発明は、上記実施形態に限定することなく、種々変更することができる。例えば、第１の実施形態では、軸状部材２０の上端に操作部２３を設け、第２実施形態では、中空ボルト４０の上端部に操作部４３を設け、中空ボルト４０の上端部に操作部４３を設けたが、操作部４３，２３を設けることなく、中空ボルト４０の外周や軸状部材２０の外周を掴むことで、中空ボルト４０や軸状部材２０を周方向に回すようにしてもよい。また、第２の実施形態においても、軸状部材２０の上端面に六角穴のような操作部を設けてもよい。
【符号の説明】
【００５３】
１０……束本体
１０ａ…第１雌ネジ
１１……ベースプレート
１２……筒状部材
２０……軸状部材
２１……第１雄ネジ
２３……操作部
３１……第１ロックナット
３２……第２ロックナット
３３……第３ロックナット
３５……スプリングワッシャ
４０……中空ボルト
４１……第３雌ネジ
４２……第３雄ネジ
４３……操作部
５０……支持プレート
５１……プレート本体
５２……第２雌ネジ
５３……ビス
５４……小孔
５５……リブ
Ｃ………設置面
【図１】
2015121053.tif 000003
【図２】
2015121053.tif 000004
【図３】
2015121053.tif 000005
【図４】
2015121053.tif 000006
【図５】
2015121053.tif 000007